(57)【要約】      （修正有）【課題】食器洗浄機において、洗浄時間を長くすることなく、食器の洗浄性能を高めることを可能にする搬送機構を提供する。【解決手段】本考案の一態様に係る、食器洗浄機１０における搬送機構１４は、食器Ｔが載置可能に設けられる複数の回転支持体３０であって、各々は、食器の搬送方向ＣＤに直交する幅方向に延在するように配置されるとともに、他の回転支持体３０から前記搬送方向に離間配置される、複数の回転支持体と、該複数の回転支持体の各々がそのままの位置で回転するように該複数の回転支持体を駆動するように構成された駆動機構３２とを備える。【選択図】図１
0003222728.tif 000002
【実用新案登録請求の範囲】
【請求項１】
食器洗浄機における搬送機構であって、
食器が載置可能に設けられる複数の回転支持体であって、各々は、食器の搬送方向に直交する幅方向に延在するように配置されるとともに、他の回転支持体から前記搬送方向に離間配置される、複数の回転支持体と、
該複数の回転支持体の各々がそのままの位置で回転するように該複数の回転支持体を駆動するように構成された駆動機構と
を備え、
前記複数の回転支持体の各々には、前記搬送方向への食器の移動を補助するように構成された補助部材が複数設けられていて、
前記補助部材はそれぞれ、対応する回転支持体に該回転支持体から径方向に延出するように設けられ、
前記回転支持体の軸線方向の同一箇所からは前記回転支持体の周方向において複数の補助部材が設けられている、
搬送機構。
【請求項２】
前記複数の補助部材は、それぞれ、可撓性材料から作製されていて、棒状又は針状に形成されている、或いは凸状翼部材として構成されている、
請求項１に記載の搬送機構。
【請求項３】
前記補助部材は、該補助部材が設けられた回転支持体に隣り合う回転支持体に設けられた補助部材と衝突しないように互い違いに配置されている、
請求項１又は２に記載の搬送機構。
【請求項４】
隣り合う前記回転支持体に設けられた前記補助部材が互いに接触しないように、前記複数の回転支持体は前記搬送方向に離して配置されている、
請求項１から３のいずれか一項に記載の搬送機構。
【請求項５】
前記駆動機構は、
回転駆動力を発生させる駆動力発生装置と、
該駆動力発生装置からの回転駆動力を前記複数の回転支持体の各々に伝達するための駆動力伝達機構と
を備えている、
請求項１から４のいずれか１項に記載の搬送機構。
【請求項６】
前記駆動力伝達機構は、ウォームギヤを備えている、請求項５に記載の搬送機構。
【請求項７】
前記駆動力伝達機構は、前記駆動力発生装置に対して設けられた駆動歯車と、前記回転支持体に対して設けられた被駆動歯車と、前記駆動歯車と前記被駆動歯車とに架け渡された環状動力伝達体とを備えている、請求項５に記載の搬送機構。
【請求項８】
請求項１から７のいずれか一項に記載の搬送機構を備えた食器洗浄機。
【請求項９】
前記複数の回転支持体の鉛直方向下側に配置された複数の洗浄液吐出部を有する洗浄液吐出システムを備え、
前記複数の洗浄液吐出部から吐出の洗浄液が前記複数の回転支持体の間から該複数の回転支持体の上側に直接的に通過するように、前記複数の洗浄液吐出部は配置されている、請求項８に記載の食器洗浄機。
【考案の詳細な説明】
【技術分野】
【０００１】
本考案は、社員食堂、レストラン、学校、病院などで用いられる業務用の食器洗浄機に関し、より詳しくは、食器を搬送するための搬送機構及びそれを備えた食器洗浄機に関する。
【背景技術】
【０００２】
従来の食器洗浄機は、箱状のラックに食器を積載して搬送する所謂ボックス型食器洗浄機と、コンベヤにより食器を搬送する所謂コンベヤ型食器洗浄機とに分類することができる。ボックス型食器洗浄機の一例においては、複数の食器が積載されたラックは搬入側のテーブル上から洗浄室に移動される。次に、洗浄室内において、洗剤入りの洗浄液により、食器を洗浄する第１工程と、所定の温度のすすぎ水により付着した洗剤等を洗い流す第２工程とが施される。そして、これら２つの工程の後、ラックは搬出側のテーブル上に移動され、そこに積載された食器は、ラックから取り出される。そして、食器は、乾燥工程等の更なる工程に移行される。また、食器が取り出されて空になったラックは、作業者により再び搬入側のテーブル上に移動され、次回の洗浄に用いられる。
【０００３】
これに対して、コンベヤ型食器洗浄機の一例においては、複数の食器は、所定の速度で搬送する無端のコンベヤベルト上に順次載置され、主洗浄室及びすすぎ洗浄室内を通過する。これらの主洗浄室及びすすぎ洗浄室においては、常時、洗浄液およびすすぎ水が噴出されており、コンベアベルトによって搬送される食器は、主洗浄室において洗浄工程、すすぎ洗浄室においてすすぎ工程を施された後に、後続の工程に移行される。このようなコンベヤ型食器洗浄機に関する一提案を、例えば特許文献１は開示する。
【先行技術文献】
【特許文献】
【０００４】
【特許文献１】特開平６−２４５８９０号公報
【考案の概要】
【考案が解決しようとする課題】
【０００５】
しかし、ボックス型食器洗浄機は、ラックへ食器をバランスよく又は整然と並べて配置することが必要とされ、洗浄時間の短縮に課題があるばかりか、洗浄水を食器に直接的に噴射することに限界がある。このボックス型食器洗浄機に比べて、コンベヤ型食器洗浄機は、コンベヤ上に直接食器を並べていくので、洗浄時間の短縮を図ることができるとともに、直接的に洗浄水を食器に噴射することができるので、衛生面及び洗浄性の点で優れる。
【０００６】
しかし、コンベヤ型食器洗浄機においては、無端のコンベヤベルトの移動に伴って、その上に載置された食器がそのまま搬送されるので、コンベヤベルトの部材の死角になった食器の部位には、直接的に洗浄水がかからなかった。これは、洗浄不良をもたらす要因であり、改善が望まれる。
【０００７】
そこで本考案は、上記課題に鑑みてなされたものであり、その目的は、食器洗浄機において、洗浄時間を長くすることなく、食器の洗浄性能を高めることを可能にすることにある。
【課題を解決するための手段】
【０００８】
上記目的を達成するために、本考案の一態様は、
食器洗浄機における搬送機構であって、
食器が載置可能に設けられる複数の回転支持体であって、各々は、食器の搬送方向に直交する幅方向に延在するように配置されるとともに、他の回転支持体から前記搬送方向に離間配置される、複数の回転支持体と、
該複数の回転支持体の各々がそのままの位置で回転するように該複数の回転支持体を駆動するように構成された駆動機構と
を備えた、搬送機構
を提供する。
【０００９】
好ましくは、前記複数の回転支持体の各々には、前記搬送方向への食器の移動を補助するように構成された補助部材が１つ又は複数設けられている。前記補助部材は、該補助部材が設けられた回転支持体に隣り合う回転支持体に設けられた補助部材と衝突しないように互い違いに配置されているとよい。また、隣り合う前記回転支持体に設けられた前記補助部材が互いに接触しないように、前記複数の回転支持体は前記搬送方向に離して配置されてもよい。
【００１０】
好ましくは、前記駆動機構は、回転駆動力を発生させる駆動力発生装置と、該駆動力発生装置からの回転駆動力を前記複数の回転支持体の各々に伝達するための駆動力伝達機構とを備えている。例えば、前記駆動力伝達機構は、ウォームギヤを備えることができる。前記駆動力伝達機構は、前記駆動力発生装置に対して設けられた駆動歯車と、前記回転支持体に対して設けられた被駆動歯車と、前記駆動歯車と前記被駆動歯車とに架け渡された環状動力伝達体とを備えていてもよい。
【００１１】
本考案は、前述のいずれかの搬送機構を備えた食器洗浄機にも存する。この食器洗浄機は、前記複数の回転支持体の鉛直方向下側に配置された複数の洗浄液吐出部を有する洗浄液吐出システムを備えることができる。好ましくは、前記複数の洗浄液吐出部から吐出の洗浄液が前記複数の回転支持体の間から該複数の回転支持体の上側に直接的に通過するように、前記複数の洗浄液吐出部は配置されている。
【考案の効果】
【００１２】
本考案の一態様に係る上記搬送機構によれば、上記構成を備えるので、それを備えた食器洗浄機において、洗浄時間を長くすることなく、食器の洗浄性能を高めることが可能になる。
【図面の簡単な説明】
【００１３】
【図１】本考案の第１実施形態に係る食器洗浄機の概略構成図である。
【図２】図１の食器洗浄機における回転支持体の配置を示す模式図である。
【図３】図１の食器洗浄機における回転支持体上での食器の流れ及びその洗浄を説明するための図である。
【図４】本考案の第２実施形態の食器洗浄機の一部の図であり、回転支持体の駆動機構を表した図である。
【図５】回転支持体に対する補助部材の一例を説明するための図である。
【図６】本考案の第３実施形態の食器洗浄機の一部の図であり、回転支持体と補助部材と洗浄液吐出部との位置関係を表した模式図である。
【図７】図６の回転支持体と補助部材と洗浄液吐出部とを含む箇所を別の方向から見た模式図である。
【図８】回転支持体と補助部材との組み合わせの変形例を説明するための図である。
【図９】回転支持体と補助部材との組み合わせの変形例を説明するための図である。
【考案を実施するための形態】
【００１４】
以下、本考案に係る実施形態を添付図に基づいて説明する。同一の部品（又は構成）には同一の符号を付してあり、それらの名称及び機能も同じである。したがって、それらについての詳細な説明は繰返さない。
【００１５】
本考案の第１実施形態に係る食器洗浄機１０の概略構成を図１に示す。食器洗浄機１０は、洗浄部１２と、該洗浄部１２に食器Ｔの搬送を行うように設けられた搬送機構１４とを備える。なお、ここでは、食器洗浄機１０の被洗浄体は食器Ｔであり、図１では洗浄部１２の入口側の食器Ｔａ、Ｔｂ、Ｔｃと、その出口側の食器Ｔｄとを単に模式的に例示する。被洗浄体は、食器に限定される必要はない。つまり、本考案は、食器洗浄機１０が食器以外の物を洗浄することを排除するものではないが、好ましくは、食器洗浄器１は、食器Ｔの洗浄に向けられている。
【００１６】
洗浄部１２には、洗浄液吐出システムのうちの複数の洗浄液吐出部１６が設けられている。洗浄液吐出部１６の各々は洗浄液を吐出するように構成されていて、図示しないポンプにより圧送されてくる洗浄液を特に噴射するようにノズル形状に構成されている。洗浄部１２で洗浄液吐出部１６から吐出される洗浄液は洗剤を含んでもよいし含まなくてもよい。ここでは、複数の洗浄液吐出部１６のうちの、搬送方向ＣＤの上流側の複数の洗浄液吐出部１６からは洗剤を含む洗浄液を吐出し、それ以外、具体的には搬送方向ＣＤの下流側の複数の洗浄液吐出部１６からは水のみからなる洗浄液を吐出するように、洗浄液吐出システムは実質的に２系統の洗浄液供給システムを有する。洗剤入り洗浄液を吐出する上流側の洗浄液吐出部１６を備えた箇所が主洗浄室を実質的に構成し、水のみからなる洗浄液つまりすすぎ水を吐出する下流側の洗浄液吐出部１６を備えた箇所がすすぎ洗浄室を実質的に構成する。これら主洗浄室とすすぎ洗浄室とを分けるように、洗浄部１２への入口及び出口に設けるようなカーテンが、それらの間に設けられてもよい。ただし、全ての洗浄液吐出部１６から水のみからなる洗浄液つまりすすぎ水を吐出するように、あるいは、全ての洗浄液吐出部１６から洗剤入り洗浄液を吐出するように、洗浄液吐出システムを構成することもできる。また、洗浄性能を高めるべく、全ての洗浄液吐出部１６からの洗浄液の吐出は所定圧以上の高圧でなされるとよい。なお、食器洗浄機１０では、一旦吐出された洗浄液は廃棄されるが、一旦吐出された洗浄液は例えば浄化処理又は異物除去処理がなされて再度利用されてもよい。
【００１７】
食器洗浄機１０の食器Ｔの搬送方向ＣＤにおいて、洗浄部１２の上流側（図１中右側）には食器搬入用のテーブル（以下、搬入テーブル）１８が設けられていて、その下流側（図１中左側）には食器搬出用のテーブル（以下、搬出テーブル）２０が設けられている。そして、それら搬入テーブル１８、洗浄部１２及び搬出テーブル２０に亘って、搬送機構１４が設けられている。
【００１８】
搬送機構１４は、複数の回転支持体３０と、それらを駆動するように構成された駆動機構３２とを備える。複数の回転支持体３０の各々は、棒状体であり、ここでは特にその軸線３０Ａ（図２参照）に直交する仮想面での断面は円形である。しかし、回転支持体３０の断面形状は円形であることに限定されず、例えば断面正方形などの断面多角形であってもよい。
【００１９】
複数の回転支持体３０は食器Ｔがその上に載置可能であるように設けられる。回転支持体３０の配置を図２に模式的に示す。複数の回転支持体３０の各々は、食器Ｔの搬送方向ＣＤに直交する幅方向ＷＤに延在するように配置される。更に、複数の回転支持体３０の各々は、他の回転支持体３０から搬送方向ＣＤにずれて配置され、特に離間配置される。そして、本実施形態では、複数の回転支持体３０は、同一仮想平面上において所定の等間隔で配置されている。複数の回転支持体３０の各々は、それぞれ設けられる搬入テーブル１８、洗浄部１２又は搬出テーブル２０において、その両端部を軸受（不図示）で回転可能に支持されている。
【００２０】
なお、搬送方向ＣＤにおける回転支持体３０間の間隔Ｓ（図２参照）は、被洗浄物である食器Ｔがそれらの間から脱落しないように設計され、特に後述するように回転する回転支持体３０の上を食器Ｔが滑らかに搬送方向ＣＤに搬送されるつまり移動することを可能にするように定められる。
【００２１】
駆動機構３２は、複数の回転支持体３０がそのままの位置でつまりその場でその軸線３０Ａ周りに回転するようにつまり自転するように、該複数の回転支持体３０を駆動するように構成されている。駆動機構３２は、図１に示され、電動モータ３４と、動力伝達機構３６とを備えている。電動モータ３４は、回転駆動力を発生させる駆動力発生装置であり、図示しないスイッチのＯＮ−ＯＦＦ切替により作動するように構成されている。電動モータ３４の回転速度は一定でもよいが、任意に変更できるとよい。
【００２２】
図１に示すように、動力伝達機構３６は、ウォーム３８と、ウォームホイール４０とを備えている。つまり、動力伝達機構３６は、ウォームギヤを備えている。ウォーム３８は、電動モータ３４に連結されていて電動モータ３４の作動により自転するシャフト３８Ｓに一体的に設けられている。シャフト３８ｓのウォーム３８は、複数の回転支持体３０の数に対応する分又は複数の回転支持体３０の全てに対応するだけ形成されている。ウォームホイール４０は、複数の回転支持体３０の数に対応する数だけ用いられている。各ウォームホイール４０は、それが設けられる対応する回転支持体３０に同軸に設けられている。図１では、各回転支持体３０の端部にウォームホイール４０が設けられているところを模式的に示す。なお、シャフト３８Ｓは、つまり、複数のウォーム３８は、図示しない複数の軸受により、搬入テーブル１８、洗浄部１２及び搬出テーブル２０に亘って、搬送方向ＣＤに延在するように回転可能に支持されている。
【００２３】
洗浄部１２の複数の洗浄液吐出部１６は、そのように設けられた複数の回転支持体３０の上下に位置付けられている。図１に模式的に示すように、回転支持体３０の鉛直方向上側の洗浄液吐出部１６は、洗浄部１２内の下側に向けて、つまり回転支持体３０に向けて洗浄液を吐出するように設けられ、回転支持体３０の鉛直方向下側の洗浄液吐出部１６は、洗浄部１２内の上側に向けて、つまり回転支持体３０に向けて洗浄液を吐出するように設けられている。そして、図１では明瞭でないが、洗浄液吐出システムにおける、回転支持体３０の鉛直方向下側の複数の洗浄液吐出部１６は、特に、複数の回転支持体３０の間の隙間から、複数の回転支持体３０の上側に洗浄液が直接的に抜ける又は通過するように、配置されている。この回転支持体３０の鉛直方向下側の洗浄液吐出部１６の配置は、後述する第３実施形態において明瞭に適用されている。なお、本実施形態では、複数の洗浄液吐出部１６は複数の回転支持体３０の上下に位置付けられているが、例えば複数の回転支持体３０の鉛直方向下側にのみ設けられてもよい。
【００２４】
上記構成を備える食器洗浄機１０の作動について説明する。作業者により食器洗浄機１０の電源（不図示）がＯＦＦ状態からＯＮ状態にされると、洗浄液吐出システムのポンプが作動して全ての洗浄液吐出部１６からの洗浄液の吐出が開始されるとともに、電動モータ３４の作動が開始される。この電動モータ３４の作動開始により、シャフト３８Ｓが回転駆動され、それに設けられたウォーム３８も回転する。各ウォーム３８には対応するウォームホイール４０が噛み合っているので、これにより、全ての回転支持体３０がその軸線３０Ａ周りにそのままの位置で回転するようになる。なお、洗浄液吐出システムのポンプの作動制御と、電動モータ３４の作動制御とは別々に行われてもよく、それらに対する作業者による操作も個別に可能にされてもよい。
【００２５】
こうして食器洗浄機１０が作動状態にあるとき、図１の食器Ｔａ、Ｔｂのように、搬入テーブル１８の回転支持体３０の上に食器Ｔを載置する。その結果、図１の食器Ｔｃ、Ｔｄのように、その載置された食器Ｔは、回転支持体３０上を搬送方向ＣＤに向けて、所定速度で流れるように移動する。こうして食器Ｔは搬入テーブル１８、洗浄部１２及び搬出テーブル２０へと順に搬送され、その間の洗浄部１２で洗浄液を上下の洗浄液吐出部１６から浴びせられることになる。図３は、洗浄部１２の回転支持体３０間において、その下側から上側に吐出供給される洗浄液ＷＬの一部が、搬送方向ＣＤに移動する食器Ｔに当たる又は衝突するところを模式的に示す。
【００２６】
このとき、食器Ｔは、特定のラックや、特定のコンベヤベルトと接触状態に維持されるのではなく、設置場所から搬送方向ＣＤに移動しない回転支持体３０上を移動する。したがって、食器Ｔには、上側から洗浄液が万遍なく浴びせられるとともに、下側からは回転支持体３０の間から吐出供給される洗浄液が食器Ｔの下側を向いた面に万遍なく浴びせることが可能になる。したがって、本実施形態に係る食器洗浄機１０によれば、食器Ｔに特定のラックやコンベヤベルトなどが接触状態に維持される従来の食器洗浄機に比べて、食器の洗浄性能を高めることが可能になる。更に、上で述べたように、この食器洗浄機１０では、搬入テーブル１８で回転支持体３０の上に食器を載置するだけであるので、洗浄時間を長くすることもない。
【００２７】
次に、本考案の第２実施形態に係る食器洗浄機を図４に基づいて説明する。以下では、上記第１実施形態の食器洗浄機１０との相違点のみ、第２実施形態の食器洗浄機について説明し、その他の説明を省略する。
【００２８】
第２実施形態の食器洗浄機は、駆動機構３２のうちの動力伝達機構３６の構成の点で、第１実施形態の食器洗浄機１０と相違する。第２実施形態の食器洗浄機においては、駆動機構３２のうちの動力伝達機構３６は、電動ポンプ３４に対して設けられた駆動歯車１１２と、回転支持体３０に対して設けられた被駆動歯車１１４と、これらの駆動歯車と被駆動歯車とに架け渡された環状動力伝達体１１６とを備えている。ここでは、環状動力伝達体１１６は図４に示すように無端チェーンとして構成されているが、無端ベルト等であってもよい。なお、図４では、環状動力伝達体１１６が架け渡された一端の被駆動歯車は図示していない。
【００２９】
このように動力伝達機構３６を、環状動力伝達１１６を介して動力を伝達する構成とすることでも、安価にかつ確実に、回転支持体３０をそのままの位置で回転させることができる。よって、本第２実施形態の食器洗浄機でも、上記第１実施形態の食器洗浄機と同様の、上記作用効果を奏することができる。
【００３０】
なお、上記第１実施形態の食器洗浄機１０でも、第２実施形態の食器洗浄機でも、回転支持体３０は種々の材料から作製可能である。回転支持体３０は、ステンレス、アルミニウム合金、マグネシウム合金などの種々の金属や、プラスチックなどの合成樹脂などで作製可能である。しかし、回転支持体３０は、その上に載置される食器Ｔの傷つきが生じにくい材料で作製されることが好ましい。また、上記第１及び第２実施形態の食器洗浄機１０において回転支持体３０の表面には、食器Ｔの円滑な搬送方向への移動を促すように又は補助するように、補助部材として、滑り止め材、例えば粘着性ゴム材が設けられてもよい。回転支持体３０全周に滑り止め材Ｃを設けたところを図５に模式的に示す。
【００３１】
次に、本考案の第３実施形態に係る食器洗浄機を図６及び図７に基づいて説明する。以下では、上記第１実施形態の食器洗浄機１０との相違点のみ、第３実施形態の食器洗浄機について説明し、その他の説明を省略する。なお、第３実施形態の食器洗浄機でも、上記第２実施形態の食器洗浄機のように、駆動機構１４の動力伝達機構３６を、環状動力伝達１１６を介して動力を伝達する構成とすることができる。
【００３２】
図６は、第３実施形態の食器洗浄機における２つの隣り合う回転支持体３０を鉛直方向上側から見た模式図である。図７は、図６の２つの回転支持体３０を含む３つの回転支持体３０についての箇所を図１と同様に幅方向ＷＤから見た模式図である。第３実施形態の食器洗浄機では、食器Ｔの円滑な搬送方向への移動を補助するように、補助部材として、凸状部材２１２が複数設けられている。各凸状部材２１２は、回転支持体３０に、そこから径方向に延出するように設けられる。凸状部材２１２は、１つの回転支持体３０に対して複数設けられている。特に、本実施形態では、凸状部材２１２は、回転支持体３０の軸線３０Ａ方向における複数個所に設けられ、かつ、軸線３０Ａ方向の同一箇所からは回転支持体３０の周方向において９０°間隔で４つ設けられている。
【００３３】
図６から明らかなように、凸状部材２１２は、それが設けられた回転支持体３０に隣り合う回転支持体３０に設けられた凸状部材２１２と衝突しないように、それと互い違いに配置されている。また、隣り合う回転支持体に設けられた凸状部材２１２は本実施形態では互い違いに配置されているので接触することはないが、特にそれらが干渉することをより確実に回避するように、複数の回転支持体の各々は、上記第１及び第２実施形態の食器洗浄機の場合に比して、他の回転支持体から離して配置されている。
【００３４】
更に、本第３実施形態では、搬送方向ＣＤにおいて、回転支持体３０間の中間に位置するように、洗浄液吐出部１６は位置づけられている（図６及び図７参照）。そして、洗浄液吐出部１６の真上に、凸状部材２１２が延在することがないように、凸状部材２１２及び回転支持体３０の寸法及び配置が定められている。
【００３５】
また、凸状部材２１２は、ある程度柔軟である材料つまり可撓性材料から作製されている。ここでは具体的には、凸状部材２１２はゴム材から作製されている。加えて、凸状部材２１２は滑りにくいような表面形状（不図示）を有している。なお、凸状部材２１２は他の材料から作製可能であり、図６及び図７に示したように棒状又は針状に形成されることに限定されず、それ以外の形状を有してもよい。
【００３６】
上記構成を備える本第３実施形態の食器洗浄機によれば、回転支持体３０の回転に伴って凸状部材２１２は食器Ｔを搬送方向に好適に押し出すように食器Ｔに作用する。更に、図６及び図７に示すように、凸状部材２１２及び回転支持体３０が真上に位置しない箇所にそれらの下側の洗浄液吐出部１６は設けられているので、そこから吐出された洗浄液をよりしっかりと食器Ｔの下側の面に浴びせることができる。よって、本第３実施形態の食器洗浄機では、上記第１実施形態の食器洗浄機と同様以上に、上記作用効果を奏することができる。
【００３７】
なお、凸状部材２１２は、例えば、幅広かつ薄い厚さの部材である凸状翼部材２１４として構成されることが可能である。この凸状翼部材２１４を備えた回転支持体３０を図８に示す。図８では、凸状翼部材２１４は、それが設けられた回転支持体３０に隣り合う回転支持体３０に設けられた別の凸状翼部材２１４と衝突しないように互い違いに配置されている。なお、図８において、回転支持体３０の軸線３０Ａ方向の同じ位置では、回転支持体３０の周方向において１２０°間隔で、凸状翼部材２１４が設けられている。本考案は、回転支持体３０の軸線３０Ａ方向の同じ位置における補助部材の個数などを特に限定しない。
【００３８】
また、隣り合う回転支持体３０に設けられた補助部材である凸状翼部材２１４が互いに接触しないように、複数の回転支持体の位置が調整されていてもよい。具体的には、図９に示すように、隣り合う回転支持体３０同士で、それらの軸方向の同じ位置に凸状翼部材２１４を設ける場合、凸状翼部材２１４が互いに接触しないように、回転支持体３０をより一層搬送方向に離してもよい。これは、図６及び図７の第３実施形態の場合と同様である。
【００３９】
以上、本考案の代表的な実施形態及び変形例について説明したが、本考案は種々の変更が可能である。本願の実用新案登録請求の範囲によって定義される本考案の精神及び範囲から逸脱しない限り、種々の置換、変更が可能である。
【００４０】
本考案の特徴又は構成は、上記実施形態等に限定されない。例えば上記実施形態及び変形例の任意の一部同士の種々の組み合わせが可能である。本考案は、種々の社員食堂、レストラン、学校、病院などで用いられる業務用の食器洗浄機又はその搬送機構に適用することができる。
【符号の説明】
【００４１】
１０  食器洗浄機
１２  洗浄部
１４  搬送機構
１６  洗浄液吐出部
１８  搬入テーブル
２０  搬出テーブル
３０  回転支持体
３２  駆動機構
３４  電動モータ
３６  動力伝達機構
３８  ウォーム
４０  ウォームホイール
１１２  駆動歯車
１１４  被駆動歯車
１１６  環状動力伝達体
２１２  凸状部材
２１４  凸状翼部材
ＣＤ  搬送方向
ＷＤ  幅方向
Ｔ、Ｔａ、Ｔｂ、Ｔｃ、Ｔｄ  食器
【図１】
0003222728.tif 000003
【図２】
0003222728.tif 000004
【図３】
0003222728.tif 000005
【図４】
0003222728.tif 000006
【図５】
0003222728.tif 000007
【図６】
0003222728.tif 000008
【図７】
0003222728.tif 000009
【図８】
0003222728.tif 000010
【図９】
0003222728.tif 000011